(57)【要約】【課題】電池収納部に収納されている電池パックを、比較的簡単な構成で、かつ容易に取り出し可能にする手段を提供する。【解決手段】携帯電話機ケース１の電池桶（電池パック収納部）２に、この電池桶２に電池パックが収納されているときには電池桶２の側壁内に引き込められた状態とされ、携帯電話機ケース１に嵌合された電池カバー５をスライドさせて該電池カバーを外す操作が行われたときに、この電池カバー５に設けられたリブ１６と当接して電池桶２内に押し出されることによって、電池桶２に収納されている電池パック４を電池桶２の底面から押し上げる機能を備えたスライダ３が設けられている。そのためスライダ３には、電池桶２内にスライドしながら押し出されたときに電池パック４の一端を持ち上げる為のスロープ６が形成されている。【選択図】図１
2009032595.tif 000002
【特許請求の範囲】
【請求項１】
電池パック収容部を有するケースと、該ケースと着脱自在に嵌合されて前記電池パック収容部の開口部を覆う電池カバーとを備えた携帯型電子機器ケースの電池パック収納部構造であって、
前記ケースと前記電池カバー間の嵌合を解除する際の該電池カバーの移動と連動して、前記電池パック収容部に収容されている前記電池パックを前記電池パック収容部から押し出す動作を行う電池パック押し出し機構を有していることを特徴とする携帯型電子機器ケースの電池パック収納部構造。
【請求項２】
前記電池パック押し出し機構は、前記電池パック収容部内にスライドしながら押し出されて該電池パックに収納されている前記電池パックの底面を押し上げる機能を有するスライダと、前記電池カバーの移動時に前記スライダと当接して該スライダを前記電池パック収容部内に押し出す機能を有する前記電池カバーに設けられたリブによって構成されていることを特徴とする請求項１に記載の携帯型電子機器ケースの電池パック収納部構造。
【請求項３】
前記リブは、前記スライダを前記電池パック収容部の側壁面から該電池パック収容部内に押し出す機能を有しており、前記スライダには、前記側壁面から前記電池パック収容部内に押し出されたとき該電池パックに収納されている前記電池パックの底面を押し上げるスロープが形成されていることを特徴とする請求項２に記載の携帯型電子機器ケースの電池パック収納部構造。
【請求項４】
前記電池パック押し出し機構は、前記電池パック収納部の枠内に固定された軸を支点として回動される断面Ｌ字状に一体形成されたレバー部およびリフト部と、前記電池カバーの移動時に前記レバー部と当接して前記リフト部を前記電池パック収容部内に回動させる機能を有する前記電池カバーに設けられた突起部によって構成されていることを特徴とする請求項１に記載の携帯型電子機器ケースの電池パック収納部構造。
【請求項５】
前記リフト部は、前記突起部による回動操作を受けて、前記電池パック収納部に収納された電池パックの底面を押し上げる機能を有していることを特徴とする請求項４に記載の携帯型電子機器ケースの電池パック収納部構造。
【請求項６】
前記電池パックには、前記電池パック収納部に収納された状態において該電池パック収納部に設けられた嵌合溝と嵌合する嵌合突起を有しており、前記電池パック押し出し機構は、前記電池パックを前記電池パック収容部から押し上げることにより、前記電池パックと前記電池パック収納部間の前記嵌合を外す機能を有していることを特徴とする請求項１から５のいずれか１項に記載の携帯型電子機器ケースの電池パック収納部構造。
【発明の詳細な説明】
【技術分野】
【０００１】
本発明は携帯型電子機器ケースにおける電池パック収納部の構造に関し、特に収納された電池パックを覆う電池カバーを備えた携帯型電子機器ケースの電池パック収納部構造に関する。
【背景技術】
【０００２】
携帯電話機などの携帯型電子機器では、一般に、携帯電子機器ケースに電池パックを収納する電池パック収納部を一体に形成し、さらにこのケースと嵌合して電池パック収納部を覆う電池カバーを設けた構成が一般に採用されている（特許文献１〜２等参照）。
【０００３】
図７は、特許文献１に示されているバッテリ収納部構造と類似の構成を有する従来の電池パック収納部の構造を示す概略斜視図であり、携帯電話機ケース３１に設けられた電池桶（電池パック収納部）３２内に電池パック３４を収納し、電池カバー３５の嵌合爪４２を携帯電話機ケース３１側の嵌合爪挿入穴４０へ挿入しながら被せ、さらに嵌合爪挿入穴４０方向へスライドさせることにより電池カバー３５を携帯電話機ケース３１と嵌合させて、電池パック３４を電池桶３２内に保持する構造となっている。
【０００４】
そのため、携帯電話機ケース３１には、電池カバー３５を電池桶３２の上から被せてスライドさせたときに、電池カバー３５の嵌合突起４３、および嵌合突起４４とそれぞれ嵌合する嵌合溝３７、および嵌合溝３８と、電池カバー３５の嵌合爪４２を固定するための嵌合爪挿入穴４０が形成されている。
【０００５】
また、電池桶３２内の嵌合溝３９には、電池パック３４の図では示されていない嵌合突起が嵌合され、電池パック３４の嵌合突起４１は、電池桶３２内の図では示されてない嵌合溝と嵌合される。したがって、電池パック３４がこの電池桶３２に押し込まれるとこれらの嵌合突起と嵌合溝とが嵌合され、電池パック３４に設けられた電極４９が電池桶３２内の図では示されていない電源供給端子と接続された状態で電池桶３２内に収納される。
【０００６】
また特許文献２に記載のバッテリ収納部を有するケース及び、該ケースのバッテリ収納部の開口部をカバーするケースカバーを有する携帯型電子機器のバッテリ保持構造では、バッテリ収納部に前記バッテリを保持する回転可能なサポートと、該サポートに保持された前記バッテリを前記バッテリ収納部に固定する固定手段とが独立して設けられている。前記サポートは、バッテリを収納部に収納した状態と収納部から取り出し可能な状態となる位置で回動するように軸止されており、また固定手段は、サポートに保持されたバッテリの回動端部の上面を係止可能で、外部より係止位置と開放位置との間でスライド動作可能となるように前記ケースに設けられたフック機構によって構成されている。さらに、バッテリが収納された状態でこのフック機構が開放位置にスライド動作されたとき、バッテリを保持するサポートをバッテリ取り出し可能な状態となる方向に付勢回動させるバネを備えた構成となっている。
【０００７】
【特許文献１】特開２０００−２６０４０６号公報
【特許文献２】特開２０００−２６９６５５号公報
【発明の開示】
【発明が解決しようとする課題】
【０００８】
携帯電話機と電池パックの接続は、安定した接続が必要であり、設計時においては、電池パックが電池桶３２内でガタツキを生じさせないように、嵌合調整を行ってガタツキを押さえている。その為、電池桶３２内での電池パック３４との嵌合が硬くなる傾向にあり、ユーザーが電池パック３４を電池桶３２から取り外す必要が生じたとき、電池パックの取り外しに手間がかかるという問題がある。
【０００９】
図８は、図７に示す携帯電話機ケース３１の電池桶３２に収納された電池パック３４をユーザーが取り外す際の操作手順を示しており、電池パック３４が電池桶３２に収納された状態からユーザーが電池パック３４の取り外しを行う際には、まず、電池カバー３５を、その上面を指で圧迫しながら矢印方向へスライドさせて引き出すことにより（ｓ１）、携帯電話機ケース３１との嵌合を解除して電池カバー３５を取り外し（ｓ２）、その後、電池パック３４の指掛け突起３６に指や爪を引っ掛けて電池パック３４を持ち上げることによって電池パック３４と電池桶３２間の嵌合を外して、電池桶３２から取り出す操作を行う（ｓ３）。
【００１０】
その際、電池桶３２内での電池パック３４の嵌合が硬いと、電池パック３４が電池桶３２から簡単には外れなくなり、無理に取り外そうとして、電池パック３４の指掛け突起３６を破損してしまう、あるいはユーザーの指や爪を傷めてしまう等の懸念があった。
【００１１】
一方、上記特許文献２に記載のバッテリ保持構造では、ケースに設けられたフック機構をスライド操作すれば、バッテリの係止機構が外れ、その後、バネの付勢力により、電池パックを保持するサポートがバッテリ収納部からバッテリ取り出し可能な状態となる方向に回動されるので、上記のような懸念を生ずることなく、バッテリ収納部に収納されたバッテリを簡単に取り出すことが可能であるが、特許文献２に記載のバッテリ保持構造では、そのために多くのバネ部材を必要とするスライド及びフック機構と、係止解除時にバッテリを取り出し可能な状態となる方向に回動付勢する機構をもうけなければならず、その構成が複雑であってその分製造コストがかかるという問題がある。
【００１２】
さらに特許文献２に記載の発明ではバネの付勢力を利用しているため、バネの付勢力が強すぎるとフック機構を解除したときのサポートの回動勢いでバッテリがサポートからケース外へ飛び出して不用意に落としてしまう懸念があり、また、経年変化によりバネの付勢力が弱くなってくるとサポートがバッテリ取り出し可能な状態となる方向に回動しなくなってくるという問題もある。
【００１３】
本発明の目的は、上記問題点に鑑み、携帯型電子機器ケースの電池収納部に収納されている電池パックを、比較的簡単な構成で、かつ容易に取り出し可能にする手段を提供することにある。
【課題を解決するための手段】
【００１４】
本発明は、電池パック収容部を有するケースと、該ケースと着脱自在に嵌合されて前記電池パック収容部の開口部を覆う電池カバーとを備えた携帯型電子機器ケースの電池パック収納部構造であって、前記ケースと前記電池カバー間の嵌合を解除する際の該電池カバーの移動と連動して、前記電池パック収容部に収容されている前記電池パックを前記電池パック収容部から押し出す動作を行う電池パック押し出し機構を有していることを特徴としている。
【００１５】
前記電池パック押し出し機構は、前記電池パック収容部内にスライドしながら押し出されて該電池パックに収納されている前記電池パックの底面を押し上げる機能を有するスライダと、前記電池カバーの移動時に前記スライダと当接して該スライダを前記電池パック収容部内に押し出す機能を有する前記電池カバーに設けられたリブによって構成することができる。
【００１６】
その際、前記リブは、前記スライダを前記電池パック収容部の側壁面から該電池パック収容部内に押し出す機能を有しており、前記スライダには、前記側壁面から前記電池パック収容部内に押し出されたとき該電池パックに収納されている前記電池パックの底面を押し上げるスロープが形成された構成によって実現することができる。
【００１７】
また、電池パック押し出し機構の他の形態として、前記電池パック収納部の枠内に固定された軸を支点として回動される断面Ｌ字状に一体形成されたレバー部およびリフト部と、前記電池カバーの移動時に前記レバー部と当接して前記リフト部を前記電池パック収容部内に回動させる機能を有する前記電池カバーに設けられた突起部とからなる構成によって実現することもできる。
【００１８】
その際、前記リフト部は、前記突起部による回動操作を受けて、前記電池パック収納部に収納された電池パックの底面を押し上げる機能を有する構成として実現できる。
【００１９】
また、前記電池パックには、前記電池パック収納部に収納された状態において該電池パック収納部に設けられた嵌合溝と嵌合する嵌合突起が設けられており、収納状態において電池パックが電池パック収納部内でガタツキを生じない様に比較的硬く嵌合されているので、前記電池パック押し出し機構は、前記電池パックを前記電池パック収容部から押し上げることにより、前記電池パックと前記電池パック収納部間の前記嵌合を外す機能を有する構成として実現することができる。
【００２０】
本発明では、携帯電話機ケースと嵌合している電池カバーを取り外すためにこの電池カバーのスライド動作を行うと、内部に構成されている簡単な機構によって電池パックが電池パック収納部の底面から押し上げられて電池パックと電池パック収納部との間の嵌合が外れた状態となるので、ユーザーは、電池カバーを取り外した後、電池パック収納部からの電池パックの取り外しを容易に実行することができるようになる。
【発明の効果】
【００２１】
本発明を適用すれば、電池カバーを取り外す作業を行うときの電池カバーの移動により、電池パック収納部から電池パックを押し出す作用が働くので、電池パック収納部から電池パックを取り外すことが容易となり、ユーザーの利便性を向上させることができる。
【００２２】
また本発明は、電池パック収納部から電池パックを押し出す力として作用させるスライダ、あるいはレバーおよびリフト部を付加し、電池カバーを取り外すためにユーザーが該電池カバーを移動させる力を前記スライダあるいはレバーに作用させる構成としているので、前記電池カバーに前記スライダあるいはレバーと当接する部材を設けるだけの簡単な構成で実現でき、低コスト化を図ることができる。さらにバネの付勢力を用いる構成ではないので、経年変化による機能への影響も殆ど無い。
【００２３】
さらに、電池パックに、該電池パックを電池パック収納部から取り出すための指掛け突起を設ける必要もなくなるので、電池パックの構成も簡単になる。
【発明を実施するための最良の形態】
【００２４】
図１は、本発明の第１の実施形態を示しており、携帯電話機ケースに設けた電池パック収納部に本発明を適用した状態を示す概略分解斜視図である。
【００２５】
本実施形態の電池パック収納部には、携帯電話機ケース１の電池桶（電池パック収納部）２に、この電池桶２に電池パック４が収納されているときには電池桶２の側壁内に引き込められた状態とされ、携帯電話機ケース１に嵌合された電池カバー５をスライドさせて該電池カバーを外す操作が行われたときに、この電池カバー５に設けられたリブ１６と当接して電池桶２内に押し出されることによって、電池桶２に収納されている電池パック４を電池桶２の底面から押し上げる機能を備えたスライダ３が設けられている。そのためスライダ３には、電池桶２内にスライドしながら押し出されたときに電池パック４の一端を持ち上げる為のスロープ６が形成されている。
【００２６】
本実施形態は、電池パック収納部に設けられた上記スライダ３と、電池カバー５をスライドさせながら携帯電話機ケース１から外す操作が行われたときに、上記スライダ３と当接して該スライダを電池パック収納部内へ押し出す機能を有する電池カバー５に設けられたリブ１６からなる電池パック押し出し機構を備えたことを特徴としており、この電池パック押し出し機構を除く構成は、図７に示す従来の電池パック収納構造と同様である。即ち、本実施形態の電池パック収納部も、電池パック４を収納する電池桶２と、電池桶２に収納された電池パック４を覆うための電池カバー５にて構成される。
【００２７】
携帯電話機ケース１の側面・端面側には、電池カバー５と嵌合する為の嵌合溝７、嵌合溝８が形成されている。電池桶２には、電池パック４を固定する為の嵌合溝９が形成されており、また図示されていないが、この嵌合溝９が設けられている面と対向する側面にも、電池パック４を固定するための嵌合溝が形成され、さらに電池パック４の電極１９と接続される電源供給端子が設けられている。また、電池カバー５を固定するための嵌合爪１２が挿入される嵌合爪挿入穴１０が形成されている。
【００２８】
電池パック４には、電極１９と、前記電池桶２の図示されていない嵌合溝と嵌合する為の嵌合突起１１、および前記電池桶２の嵌合溝９と嵌合する嵌合突起１７が形成されている。また、電池カバー５には、携帯電話機ケース１の嵌合爪挿入穴１０と嵌合する嵌合爪１２、携帯電話機ケース１の嵌合溝７、嵌合溝８とそれぞれ嵌合する嵌合突起１３、嵌合突起１４が形成されている。
【００２９】
図２は、本実施形態の電池パック収納部から電池パックを取り外す操作を行う場合の説明図であり、図３は、本実施形態の電池パック収納部へ電池パックを収納する操作を行う場合の説明図である。以下、図１〜図３を参照して、本実施形態の動作について説明する。
【００３０】
電池桶２に収納されている電池パック４を取り外す場合には、図２に示すように、まず、電池カバー５を携帯電話機ケース１の面に沿って図の右方向にスライドさせる（ｓ１）。このスライド操作により、電池カバー５の嵌合爪１２・嵌合突起１３・嵌合突起１４が、それぞれ携帯電話機ケース１の嵌合爪挿入穴１０内に設けられた突起１５・携帯電話機ケース１側面の嵌合溝７・携帯電話機ケース１端面の嵌合溝８から外れる。この電池カバー５をスライド操作される過程で、電池カバー５の裏面に設置されているリブ１６がスライダ３と当接する。当接後の電池カバー５のスライド移動によりスライダ３がスライド方向に押され、その結果、スライダ３が電池パック４を収納している電池桶２内に押し出される（ｓ２）。
【００３１】
スライダ３には、スロープ６が設けてあり、スライダ３が移動することでこのスロープ面が電池パック４の下に潜り込み、このスロープ６により電池パック４の一端を持ち上げる方向の力が働く。そのため、電池パック４の嵌合突起１７が携帯電話機ケース１の嵌合溝９から外れる（ｓ３）。その後、電池カバー５を取り外して（ｓ４）、電池桶２の嵌合溝９から嵌合突起１７が外れた状態となっている電池パック４を、電池桶２から取り出す。
【００３２】
本実施形態によれば、電池桶２に収納されている電池パック４を取り出す際には、電池パック４の一端がスライダ３により電池桶２から押し上げられて、電池パック４の嵌合突起１７が携帯電話機ケース１の嵌合溝９から外されているので、電池パック４を電池桶２から容易に取り外すことができる。また、電池パック４が持ち上がることにより、電池カバー５の裏面も押し上げられ、電池カバー５も取り外しやすくなる。
【００３３】
また、電池パック４を、電池桶２に格納する場合には、図３に示すように、まず、携帯電話機ケース１の電池桶２内に押し出されているスライダ３を、指等で電池桶２の外へ退避した状態となるようにスライドさせて移動する（ｓ１）。次に、電池パック４の嵌合突起１１が電池桶２内の嵌合溝１８と嵌合するように挿入した後、電池パック４を電池桶２内に押し込んで（ｓ２）、電池パック４の嵌合突起１７を電池桶２の嵌合溝９と嵌合させることにより、電池パック４の電極１９と電池桶２内の電源供給端子とを接続して電池桶２内に収納する。
【００３４】
次に、電池カバー５の嵌合爪１２を携帯電話機ケース１の嵌合爪挿入穴１０に斜め上方向から挿入し（ｓ３）、電池カバー５のリブ１６がスライダ３の電池桶２と対向していない面側（図ではスライダ３の左側）に位置する状態とした後、挿入位置を支点として電池カバー５をケース１側へ回転させ（ｓ４）、さらに携帯電話機ケース１の面に沿って図の左側へスライドさせることにより、電池カバー５の嵌合爪１２・嵌合突起１３・嵌合突起１４と、携帯電話機ケース１の嵌合爪挿入穴１０内に設けられた突起１５・携帯電話機ケース１側面の嵌合溝７・携帯電話機ケース１端面の嵌合溝８をそれぞれ嵌合させる。
【００３５】
図４は、本発明の第２の実施形態を示す電池パック押し出し機構を備えた電池パック収納部の概略分解斜視図である。本実施形態は、携帯電話機ケースの電池桶への電池パックの収容向きが異なる場合に適用可能な構成としている。
【００３６】
本実施形態においても、電池パック押し出し機構を除く構成は、第１の実施形態における電池パック収納部の構造と同様であるが、本実施形態では、電池パック２４の電極と接続される電源供給端子２９が収納桶２２の反対側の側面に設けられている。
【００３７】
本実施形態の携帯電話機ケースの電池パック収納部に設けられた電池パック押し出し機構は、収納桶（電池パック収納部）２２の枠内に固定された軸２６を支点として回動される断面Ｌ字形状に一体に形成されたレバー部２３およびリフト部２７と、電池カバー２５に固定されて該電池カバー２５を携帯電話機ケース２１の平面に沿ってスライドさせて外す操作が行われたときに前記レバー部２３と当接して該レバー部２３を、軸２６を支点として回動させる機能を有する突起部２８によって構成されている。
【００３８】
電池パック２４が収納桶２２に格納され、電池カバー２５が携帯電話機ケースと嵌合されている状態のときには、リフト部２７は電池パック収納桶２２の底面内に収納された状態に回動されており、電池カバー２５を携帯電話機ケース２１の平面に沿ってスライドさせて外す操作が行われたとき電池カバー２５に設けられている前記突起部２８により前記レバー部２３が押され、それに伴って前記リフト部２７が軸２６を支点として回動し、その先端部を電池パック収納桶２２の底面から突き出すことによって電池パック２４の一端を電池桶２２から押し上げる動作を行う。
【００３９】
図５は、本実施形態の電池パック収納部から電池パックを取り外す操作を行う場合の説明図であり、図６は、本実施形態の電池パック収納部へ電池パックを収納する操作を行う場合の説明図である。以下、図４〜図６を参照して、本実施形態の動作について説明する。
【００４０】
電池桶２２に収納されている電池パック２４を取り外す場合には、図５に示すように、まず、電池カバー２５を携帯電話機ケース２１の面に沿って図の右方向にスライドさせる（ｓ１）。このスライド操作により、電池カバー２５の嵌合爪および嵌合突起が、それぞれ携帯電話機ケース１の突起および嵌合溝から外れる。また、電池カバー２５がスライド操作される過程で、電池カバー２５の裏面に設けられている突起部２８がレバー２３と当接し、当接後の電池カバー２５のスライド操作によりレバー２３がスライド方向に押され、その結果、レバー２３と軸２８を介して一体に形成されたリフト部２７が軸２６を支点として回動され、その先端部が電池パック４を収納している電池桶２２内に突き出される。（ｓ２）。
【００４１】
リフト部２７の先端部が電池パック４を収納している電池桶２２内に突き出されることにより、電池パック２４の一端が電池桶２２の底面から持ち上げられ、そのため、電池パック２４の嵌合突起が電池桶２２内の嵌合溝から外れる（ｓ３）。その後、電池カバー２５を取り外して（ｓ４）、電池桶２２の嵌合溝から外された状態となっている電池パック２４を、電池桶２から取り出す。
【００４２】
本実施形態によれば、電池桶２２に収納されている電池パック２４を取り出す際には、電池パック２４の一端がリフト部２７により電池桶２２から押し上げられて、電池パック２４の嵌合突起が電池桶２２内の嵌合溝から外されているので、電池パック２４を電池桶２２から容易に取り外すことができる。また、電池パック２４が持ち上がることにより、電池カバー２５の裏面も押し上げられ、電池カバー２５も取り外しやすくなる。
【００４３】
また、電池パック２４を、電池桶２２に格納する場合には、図６に示すように、まず、レバー２３を回転させて、初期の位置に戻し（ｓ１）、電池パック２４を携帯電話機ケース２１の電池桶２２内に収納する（ｓ２）。次に、電池カバー２５をスライドさせながら携帯電話機ケース２１に嵌合させることで、電池パック２４の取り付けが完了する（ｓ３、ｓ４）。
【図面の簡単な説明】
【００４４】
【図１】本発明の第１の実施形態を示す携帯電話機ケースに設けた電池パック収納部の概略分解斜視図である。
【図２】第１の実施形態の電池パック収納部から電池パックを取り外す操作を行う場合の説明図である。
【図３】第１の実施形態の電池パック収納部へ電池パックを収納する操作を行う場合の説明図である。
【図４】本発明の第２の実施形態を示す携帯電話機ケースに設けた電池パック収納部の概略分解斜視図である。
【図５】第２の実施形態の電池パック収納部から電池パックを取り外す操作を行う場合の説明図である。
【図６】第２の実施形態の電池パック収納部へ電池パックを収納する操作を行う場合の説明図である。
【図７】従来の電池パック収納部の構造を示す概略斜視図である。
【図８】従来の電池パック収納部から電池パックを取り外す操作を行う場合の説明図である。
【符号の説明】
【００４５】
１，２１  携帯電話機ケース
２，２２  電池桶（電池パック収納部）
３  スライダ
４，２４  電池パック
５，２５  電池カバー
６  スロープ
７，８，９，１８  嵌合溝
１０  嵌合爪挿入穴
１１，１３，１４，１７  嵌合突起
１２  嵌合爪
１５  突起
１９  電極
２３  レバー
２６  軸
２７  リフト部
２８  突起
２９  電源供給端子
【図１】
2009032595.tif 000003
【図２】
2009032595.tif 000004
【図３】
2009032595.tif 000005
【図４】
2009032595.tif 000006
【図５】
2009032595.tif 000007
【図６】
2009032595.tif 000008
【図７】
2009032595.tif 000009
【図８】
2009032595.tif 000010